(57)【特許請求の範囲】
【請求項１】
車両に搭載された車載端末がユーザに対して情報提供を行う車両用情報提供方法であって、
情報センタに情報送信開始の要求を送信し、
前記情報送信開始の要求に応答して前記情報センタが前記ユーザに対し前記情報センタに予め登録されている項目について送信した情報を受信して、その情報をユーザに提供し、
前記情報に変化があったときに前記情報センタが送信した新たな情報を受信して、その新たな情報をユーザに提供し、
前記情報センタが送信した情報に、その情報と関連した映像情報の受信を要求するかの問いかけが含まれているときに、ユーザがその受信を望んでいることを検出すると、前記映像情報を受信する旨の回答を前記情報センタに送信し、
前記映像情報の送信要求に応答して前記情報センタが送信した前記映像情報を受信して、その映像情報を再生することを特徴とする車両用情報提供方法。
【請求項２】
前記車載端末は、車両の停止状態を判定して、前記受信した映像情報を再生することを特徴とする請求項１に記載の車両用情報提供方法。
【発明の詳細な説明】
【０００１】
【発明の属する技術分野】
本発明は、車両に搭載された車載端末がユーザに対して情報提供を行う車両用情報提供方法に関する。
【０００２】
【従来の技術および発明が解決しようとする課題】
従来、車両において、運転者は、その運転中に、車載テレビ、ラジオなどで、野球中継、サッカー中継等を聞くことができる。しかし、運転者によっては、あるいは運転状況によっては、そのような中継でなく試合経過の情報だけわかればよいという場合がある。
【０００３】
このような場合に、外部から「ユーザの知りたい情報」を逐次受けて、ユーザに提供することが考えられる。例えば、携帯電話では、情報センタに予め登録しておくことにより、ニュース速報等が携帯電話に自動送信されて、ユーザは知りたい情報を得ることができる。
【０００４】
しかし、この方法によれば、情報センタから一方的に携帯電話に情報が送信されるのみである。提供する情報を上記した野球、サッカーにおける試合経過の情報とすれば、ユーザは情報センタから定期的に送信される情報によって試合経過を知ることができるが、ユーザによっては、試合経過に変化があったときにその情報を知りたいと思い、また試合経過に変化があったときに野球のホームランシーンやサッカーのゴールシーンなどの得点シーンを見たいと欲する場合がある。
【０００５】
また、そのような得点シーンは、映像情報として送信されるが、車両の場合、運転中に映像情報を再生しても、運転者はその映像を見ることはできない。
【０００６】
本発明は上記問題に鑑みたもので、車両のユーザが知りたい情報を、情報に変化があったときにユーザが取得することができ、しかも映像情報がある場合にユーザの要求に応じてその映像情報を取得できるようにすることを第１の目的とする。
【０００７】
また、映像情報を運転中に受信しても、その映像をユーザが見ることができるようにすることを第２の目的とする。
【０００８】
【課題を解決するための手段】
上記目的を達成するため、請求項１に記載の発明では、車両に搭載された車載端末がユーザに対して情報提供を行う車両用情報提供方法であって、
情報センタに情報送信開始の要求を送信し、
前記情報送信開始の要求に応答して前記情報センタが前記ユーザに対し前記情報センタに予め登録されている項目について送信した情報を受信して、その情報をユーザに提供し、
前記情報に変化があったときに前記情報センタが送信した新たな情報を受信して、その新たな情報をユーザに提供し、
前記情報センタが送信した情報に、その情報と関連した映像情報の受信を要求するかの問いかけが含まれているときに、ユーザがその受信を望んでいることを検出すると、前記映像情報を受信する旨の回答を前記情報センタに送信し、
前記映像情報の送信要求に応答して前記情報センタが送信した前記映像情報を受信して、その映像情報を再生することを特徴としている。
【０００９】
この発明によれば、車両のユーザが知りたい情報を、情報に変化があったときにユーザが取得することができ、しかも映像情報がある場合にユーザの要求に応じてその映像情報を取得することができる。
【００１０】
この場合、請求項２に記載の発明のように、前記車載端末が、車両の停止状態を判定して、前記受信した映像情報を再生するようにすれば、映像情報を運転中に受信しても、その映像をユーザが見ることができる。
【００１４】
【発明の実施の形態】
以下、本発明を図に示す実施形態について説明する。図１に、車載端末としての車両用ナビゲーション装置の構成を示す。
【００１５】
ナビゲーション装置は、車両の現在位置を検出するための位置検出器１を有している。この位置検出器１は、地磁気センサ２、ジャイロスコープ３、距離センサ４、ＧＰＳ受信機５から構成されている。また、ナビゲーション装置は、ＣＤＲＯＭ−ＲＯＭ、ＤＶＤ−ＲＯＭ等の地図データ記憶媒体（地図データ記憶手段）６ａから地図データを読み取る地図データ入力器６と、ナビゲーションに必要な各種操作を行うための操作スイッチ群７と、ナビゲーションに必要な各種処理を実行する制御回路（制御手段）８と、地図等の表示を行う表示装置９と、音声を発生する音声発生装置１０と、リモコン１２からの信号を受信するリモコンセンサ１１、ユーザ（運転者等の乗員）の音声を認識する音声認識装置１３と、情報センタ２０と通信を行う通信装置１４などを備えている。
【００１６】
このナビゲーション装置は、地図データ記憶媒体６ａから地図データを読み出し、読み出した地図データと車両の現在位置に基づいて走行案内（この走行案内には、目的地に対する経路案内を含む）を行う機能を備えるとともに、情報センタ２０と通信を行い、ユーザが情報センタ２０に予め登録している項目について情報センタ２０が送信した情報を受信して、その情報をユーザに表示および音声を用いて提供する機能を有する。
【００１７】
なお、情報センタ２０は、各車両のナビゲーション装置およびその他の車載端末と通信するための通信装置、およびコンピュータを用いてユーザへ提供するデータの作成およびユーザの要求を解析するデータ処理部などを備えている。
【００１８】
以下、情報センタ２０と通信を行ってユーザに情報提供を行う方法について図２、図３に示すフローチャートを参照して説明する。なお、この情報提供を行う前に、ユーザは情報センタ２０に対し、「知りたい情報」の登録を行っておく。この登録は、例えば、情報センタ２０へ電話で連絡し、ユーザを特定するに必要な情報、知りたい情報の項目（例えば、○月×日の中日×巨人戦の試合経過）などを登録する。あるいは、ナビゲーション装置における表示装置９の画面を利用し、ユーザが上記した登録に必要な情報を入力すると、それを通信装置１４から情報センタ２０に送信を行って登録するようにしてもよい。
【００１９】
そして、このナビゲーション装置を搭載した車両がその運転を開始すると、制御回路８は、イグニッションスイッチ（図示せず）からの信号に基づいて車両の運転開始を判定し（ステップ１０１）、通信装置１４から情報センタ２０に情報送信開始の要求（例えば「運転開始」の情報）を送信させる（ステップ１０２）。この情報送信開始の要求には、ユーザを特定するに必要な情報が含まれている。
【００２０】
情報センタ２０は、情報送信開始の要求を受信すると、それに基づいて、ユーザの特定を行うととともに、そのユーザが予め登録している項目を特定し、その項目について提供すべき情報を送信する。この送信情報は、画面表示用の文字データおよび音声発生用の音声データなどからなる。
【００２１】
ナビゲーション装置の通信装置１４が情報センタ２０から送信された情報を受信すると、制御回路８は、その情報を解析し、表示装置９による表示および音声発生装置による音声発生を用いて、受信した情報をユーザに提供する（ステップ１０３）。この場合、表示装置９のナビゲーション画面の一部に、受信した情報を表示（例えば、図４（ａ）に示すように、中日ｖｓ巨人１−２を表示）させ、また音声発生装置から例えば、「巨人、中日戦  ５回の裏を終了。１対２で中日リードです」の音声を発生させる。
【００２２】
また、情報センタ２０が送信した情報に、その情報と関連した映像情報の受信を要求するかの問いかけが含まれているときには、その判定を行い（ステップ１０４）、音声発生装置から映像情報の受信を要求するかの問いかけの音声を発生させる（ステップ１０５）。例えば、「ホームランシーンがありますが受信しますか？」の音声を発生させる。ユーザがそれに対してその受信を望んでいる旨の音声（例えば、「はい」）を発生し、音声認識装置１３がその音声を認識すると、制御回路８は、音声認識装置１３からの認識信号を受けて、ユーザが映像情報の受信を望んでいることを検出し（ステップ１０６）、映像情報を受信する旨の回答を情報センタ２０に送信する（ステップ１０７）。
【００２３】
この回答に応答して情報センタ２０が映像情報を送信すると、通信装置１４がその映像情報を受信する（ステップ１０８）。制御回路８は、その受信を判定した後、車両が停止状態にあるか否かを判定する（ステップ１０９）。車両が停止状態にあるか否かは、距離センサ４からの信号に基づいて求められる車両の速度、あるいはＧＰＳ受信機５からの信号に基づいて求められる車両の速度に基づいて、判定することができる。そして、車両が停止状態にあると、受信した映像情報を再生（すなわち、表示装置に画像を表示）させる（ステップ１１０）。例えば、映像情報がホームランシーンであれば、表示装置９に、ナビゲーション画面に替えて、ホームランシーンの動画を表示させる。
【００２４】
この後、制御回路８は、受信待ち状態となり、図３に示す処理を実行する。情報センタ２０では、ユーザが登録している種々の項目について、それぞれの最新情報が情報センタ２０のコンピュータに入力される。そして、上記したユーザ登録項目（例えば中日×巨人戦の試合経過）の情報に変化があると、情報センタ２０は、その新たな情報を送信する。
【００２５】
ナビゲーション装置の通信装置１４が情報センタ２０から送信された新たな情報を受信すると、制御回路８は、その情報を解析し、表示装置９のナビゲーション画面の一部に、受信した新たな情報を表示（例えば、図４（ｂ）に示すように、中日ｖｓ巨人３−２を表示）させ、また音声発生装置から例えば、「６回の裏○○の３ランで３対２と巨人が勝ち越しです」の音声を発生させる（ステップ１１１）。また、その新たな情報に、その情報と関連した映像情報の受信を要求するかの問いかけが含まれていることを判定（ステップ１１２）すると、音声発生装置から映像情報の受信を要求するかの問いかけの音声を発生させる（ステップ１１３）。例えば、「ホームランシーンがありますが受信しますか？」の音声を発生させる。ユーザがそれに対してその受信を望んでいる旨の音声を発生し、音声認識装置１３がその音声を認識すると、上記したように、制御回路８は、映像情報を受信する旨の回答を情報センタ２０に送信し、情報センタ２０からその回答に応答して送信された映像情報を受信し、車両の停止状態を判定して、表示装置に映像情報、例えばホームランシーンの動画を表示させる（ステップ１１３〜１１８）。
【００２６】
以後、ユーザが情報センタ２０に登録した項目について情報に変化がある毎に、上記した処理を繰り返す。
【００２７】
そして、車両が運転停止すると、制御回路８は、上記した処理を終了する。
【００２８】
なお、上記した実施形態では、車載端末として車両用ナビゲーション装置を用いるものを示したが、車両用ナビゲーションとは別の車載端末であってもよい。
【００２９】
また、映像情報の受信を要求するかの問いかけに対し、音声認識装置１３を用いてユーザの反応を検出するものを示したが、操作スイッチ等の他の手段によってユーザの反応を検出するようにしてもよい。
【００３０】
また、情報センタ２０が映像情報を送信可能な場合に、車載端末側にその受信希望の問い合わせをせずに、映像情報を車載端末に送信するようにしてもよい。この場合、その映像情報は、上記した実施形態と同様、車両の停止状態を判定してから再生される。
【図面の簡単な説明】
【図１】車載端末としての車両用ナビゲーション装置の構成を示す図である。
【図２】情報センタと通信を行ってユーザに情報提供を行う方法を示すフローチャートである。
【図３】図２に続く処理を示すフローチャートである。
【図４】情報提供方法を説明するための説明図である。
【符号の説明】
１…位置検出器、６ａ…地図記憶媒体、６…地図データ入力器、
７…操作スイッチ群、８…制御回路、９…表示装置、１０…音声発生装置、
１１…リモコンセンサ、１２…リモコン、１３…音声認識装置、
１４…通信装置、２０…情報センタ。
【図１】
0004483098.tif 000002
【図２】
0004483098.tif 000003
【図３】
0004483098.tif 000004
【図４】
0004483098.tif 000005